(57)【要約】【課題】故人に関わる情報、例えば故人の俗名、戒名、生年月日、経歴等の情報、更に故人の思想、著作物などの情報は時間の経過と共に忘れられ散逸する。その為に故人の生前の面影を偲ぶ事は難しくなっている。また故人の情報は関係者のみしか知る事ができない。故人の生前の人生活動の中での成果は現世の生きている多くの人々の参考になるものも多いが継続して広く知らしめる手段ない。【解決手段】本発明は故人の属人情報を二次元バーコードで生成しこれを半永久的に耐久性のある板状物体上に画像情報として焼き付けこれを故人の希望する場所に設置し、参拝者はこれを携帯端末で読みとり故人を偲ぶものである。さらに故人情報を登録管理する機関を開設し、ここを通じて故人情報の管理し公開するメモリアル情報システムを提供する。【選択図】図１
2008243159.tif 000002
【特許請求の範囲】
【請求項１】
属人情報を文字、画像、二次元バーコードで表現しこれらを半永久的な耐久性のあるプレート状物体に焼き付けて製作したメモリアルプレートと、二次元バーコードを読み取る為の携帯端末と、メモリアルプレートを安置する設置場所と、また属人情報はインターネットのホームページに公開するインターネットシステムから構成されるメモリアル情報システム。
【請求項２】
請求項１に記載の属人情報の取り扱いは、登録機関を設置しその機関により受付、情報保管管理、台帳登録、インターネットにより情報公開する事を特徴とする請求項１記載のメモリアル情報システム。
【請求項３】
請求項１に記載のプレート状物体には故人の遺骨を収納する空間を設け、あるいは故人の遺骨を粉砕し混在して生成する事を特徴とする請求項１記載のメモリアル情報システム。
【発明の詳細な説明】
【技術分野】
【０００１】本発明は属人情報を二次元バーコードで生成しこれを板状物体に焼き付けこの板状物体中の二次元バーコードを携帯端末で読みとり、更に属人情報の一部をインターネットで公開する情報システムに関する。
【背景技術】
【０００２】従来から故人の属性情報、例えば俗名、戒名、死亡日等は故人のメモリアル情報として墓石に刻まれたりお寺の過去帳に記録され保管されている。しかしながらここでは故人の思想、詩、俳句等の創作物、アイデア、絵等の創造物、社会問題等の意見、未来の技術的、経済的、出来事の予測など（以下著作物と略す）は稀に文書でしか保存されていない。
【発明の開示】
【発明が解決しようとする課題】
【０００３】本来故人に関わる情報は時間の経過と共に忘れさられ散逸する。実際に例えば百年前に亡くなった人の経歴、住所等の属性情報でも調べ出す事は容易ではない。また故人の著作物は墓の中には保存できず従って故人の生前の人となりを偲ぶ事は出来にくくなっている。このような著作物は故人がこの世に生を受けた証でもありまた後世の人への貴重な指針となるものでもある。このような故人の属性情報、つまり属人情報と著作物をメモリアル情報として未来永劫に保管、公開する場と方法がない。一方インターネットの普及により故人情報をインターネット上で公開する事は可能になっているがこれは半永久的に故人の情報が公知されるわけではない。
【課題を解決するための手段】
【０００４】本発明は上記事由に鑑みてなされたものであり、その目的とする所は、故人の属性データ例えば氏名、戒名、誕生日、住所、死亡日などと共に故人の著作物を二次元バーコード化し画像データとして変換生成しこの画像を半永久的に変質しない板状の素材に印刷転写加工しこれを墓石、仏壇等に設置したり、更にお寺、教会等に奉納し、参拝者はこれを携帯端末例えば携帯電話、ＰＤＡ等のデジタルカメラで読みとりこの携帯端末に内蔵されている二次元バーコード解析ソフトにより解析しその内容を画面表示し参拝者は故人の人となりを偲ぶ事ができるシステムを提供する。更にインターネットのホームページを用いて故人の属性情報と共に故人の著作物の一部が公開され、この事により故人の人となりの一部が広く情報公開される手段を提案する。【０００５】「二次元バーコードの生成」
二次元バーコードの生成は通常パソコンを利用して行う事ができる。ここで利用するソフトとしては市場では有償、無償の色々なソフトが提供されている。例えばＩＢＭ社から提供されているホームページビルダー（商品名）がある。なお二次元バーコードとして日本ではＱＲコード（商標名）が有名である。
「メモリアルプレート」
二次元バーコード画像の保管媒体である。半永久的に壊れないまた変色しない素材の表面にこの二次元バーコードが印刷又は刻印される。例えばセラミック加工された陶磁器片、象眼加工、レザー加工された金属素材などが考えられる。また故人に関わるの写真等の画像情報、故人の俗名なども文字情報として併せて印刷又は刻印される。
「携帯端末」
携帯端末としては携帯電話、ＰＤＡ端末等が挙げられる。現在市販の携帯電話では二次元バーコードをこの端末が内蔵するデジタルカメラで読み込み解析し携帯端末画面へ表示する機能付きのものが多く販売されている。もしこの機能が無い機種においては専用ソフトをインストールしこの利用環境を整える事が可能である。また携帯端末はその本来の利用目的である電話通信機能を基にインターネット網へのアクセスが可能でありインターネット及びメール機能が利用できる。
【発明を実施するための最良の形態】
【０００６】以下、本発明の実施の形態を本発明の全体構成図である図１を参照しながら説明する。
本図１は主に制作依頼者Ａ、参拝者Ｂ、閲覧者Ｃ、管理運営組織Ｚ、メモリアルプレートＸ、設置場所Ｙ、二次元バーコード１、携帯端末２、インターネット３から構成される。なお管理運営組織Ｚとしては遺骨を管理する寺院や、メモリアル情報管理配信企業、冠婚葬祭企業などが挙げられる。
この管理運営組織Ｚは、制作依頼者Ａからの故人情報、例えば故人属性情報、著作物情報、写真等の原稿を預かり、メモリアルプレート及びインターネットのホームページの制作などを行なう。以下本発明の実施例を説明する。
【実施例】
【実施例１】
【０００７】実施例１はこの出願に係わる発明（請求項１に係わる発明をいう）に関するものであり図２のフロー図を参照しながら説明する。
「ステップＳ０１：登録準備」
制作依頼者ＡはメモリアルプレートＸの制作とインターネットのホームページの制作を依頼する為に管理運営組織Ｚへ当該者の属性情報、著作物、、写真等を制作原稿として準備する。このような準備の為には「自分史」を作成すれば作業がはかどるであろう。
「ステップＳ０２：受付・確認・登録」
制作依頼者Ａは当該者に関する制作原稿を管理運営組織Ｚに提出する。管理運営組織Ｚはこれを受付、内容確認、更に受付した事を証明する為に台帳登録管理を行う。
「ステップＳ０３：制作」
管理運営組織ＺはメモリアルプレートＸの制作、及びインターネットのホームページの制作を実施する。ここでは制作依頼者Ａの希望によりインターネットのホームページの制作は行わない場合がある。その場合にはＳ０５−１からＳ０５−３の作業は行なわれない。以下メモリアルプレートＸ及びインターネットのホームページに関して各々その制作から閲覧までの流れを説明する。
「ステップＳ０４−１：メモリアルプレートの制作」
制作依頼者Ａの原稿を基にその中で指示を受けたものに限り編集作業を行いパソコンにより二次元バーコード１画像を作り転写紙へこれを印刷する。その後半永久的な耐久性のあるセラミック板へ印刷する。なお二次元バーコード１ではパスワードを設け故人の公開したくない情報は暗号化して制作する事ができる。
「ステップＳ０４−２：設置」
メモリアルプレートＸは故人の所縁のある場所に奉納する。その場所は、例えば墓石、納骨堂、さらに日本のみならず世界中の景勝地、又は故人の思い出の場所を選びその場所にメモリアルプレート保管の空間を確保して奉納する。
「ステップＳ０４−３：公開」
前記作成のメモリアルプレートＸの公開にあたり次の２つの方法を提案する。
設置方法１：メモリアルプレートＸは各自制作依頼者Ａが好む場所に自由に設置する。
その後、参拝者Ｂは制作依頼者Ａからその設置場所を聞きその場所を訪れ自由に参拝する事ができる。
設置方法２：メモリアルプレートＸを管理している組織、例えば寺院を例とすれば寺院ではその構内に掲示板、案内板を設置する。図４をもとに説明を行なう。案内板４には、物故者の案内域５と寺院の案内域６に領域を分けて構成されている。物故者の案内域５はこの寺院で供養している物故者の一覧が載せられており、氏名と共にその人の二次元バーコード１も一緒に掲載されている。寺院の案内域６には寺院専用の二次元バーコードが制作されておりこれにより寺院の情報提供を行なう事ができる。
さて故人の二次元バーコード１には属性情報のほか彼のインターネットホームページアドレスも登録できる。このホームページは参拝者が参拝時に拝聴できるお経などの音楽配信の機能がある。一方寺院の二次元バーコード１も寺院のインターネットホームページアドレスが記述されている為にここからお経等の音楽配信を参拝者Ｂが受ける事ができる。これらの音声情報は携帯端末にダウンロードしその後携帯端末をお墓の前に設置しお参りする事ができる。さてホームページのアドレスは年月を経過すればこの管理企業が倒産したり物理的なデータ保管場所の変更がある為に永久的なものではない。従ってこのホームページアドレスをメモリアルプレートＸの中に情報として書き込む事ができない。その為に何時でも簡単に取り替えが可能な案内板４に故人及び寺院の二次元バーコード１を掲示しこの中にインターネットホームページアドレスを記述する。この場合案内板の材質は、半永久に使えるセラミックである必要はなく、極端に言えば紙でもよい。
「ステップＳ０４−４：閲覧」
参拝者Ｂはこの二次元バーコード１を彼の携帯端末２のデジタルカメラで読み取り、その後直ちに内蔵ソフトにより解析され当該端末画面にその内容が表示できる。二次元バーコードに登録された情報は、俗名▲１▼、戒名▲２▼、死亡年月日▲３▼、生年月日▲４▼、年齢▲５▼、住所▲６▼等のほか著作物の情報も表示される。これらの情報を見て参拝者Ｂは故人の生前面影を偲ぶ事ができる。また寺院の案内板に掲載されている寺院専用の二次元バーコード１は寺院専用のインターネットホームページが記載されている。参拝者Ｂがここにアクセスすれば当寺院で管理している物故者の一覧表が表示される。参拝者Ｂはこの一覧表の中から該当する物故者を選び彼の情報を得ることができる。さらに寺院専用のホームページからお経、音楽などの音声をダウンロードし墓の前でそのお経を聞きながらお参りする事ができる。
「ステップＳ０５−１：インターネットホームページ制作」
制作依頼者Ａの希望により故人のインターネットホームページを制作する事ができる。
個人情報保護の観点から故人の情報公開は必要な部分に限られる。。このホームページは管理運営組織Ｚが管理運営する。
「ステップＳ０５−２：公開」
管理運営組織Ｚのホームページは広く一般に公開され関係者は閲覧する事ができる。
「ステップＳ０５−２：閲覧」
閲覧者Ｃは管理運営組織Ｚのホームページを見て故人を偲ぶ事ができる。さてこの閲覧者Ｃは故人に関係ある人が多い。従って将来この閲覧著Ｃを組織して親戚・家族のコミュニティの場を構築しこの組織ではこの故人に関わる親戚に法事時にはメールを配信し法事の案内を行なう事などができる。また関係者へは献花サービスの案内などの新しいビジネスが創出される。遠隔地に居住している親戚、仏事に参加できない親戚などはこのホームページを見ながら故人を偲んだり、またホームページの中に親戚同士の交流の場があれば親戚コミュニケーション構築できる。
【実施例２】
【０００８】実施例２はこの出願に係わる発明（請求項２に係わる発明をいう）に関するものである。図２を参照しながら説明する。この発明は制作依頼者Ａから提供された登録情報（原稿。写真、資料など）を登録管理する組織・団体の提案である。
現世では個人の発明考案は特許庁に出願し審査がありその結果工業所有権の権利が付与される。一方個人が創作した音楽の作詞作曲、文学作品、俳句、短歌、絵画などの創作物は著作権として文化庁で保護されている。この場合、工業所有権や著作権等の権利化の手続きは一般人にとっては敷居の高いものとなっている点に問題がある。さらに個人的な思想、経済や科学や社会活動の予言、予測また子孫への遺言、家訓等は後世に伝える良い手段がない。しかしながら故人がこの世に生を受けた証として故人の生き様を後世に残しておく事は必要な事である。当発明はこの考え方に沿って行なうものであり実施例１ではメモリアルプレート制作の提案を行なった。しかしながらこの実施例１は故人の関係者へのメモリアル情報の提供であったが、この実施例２は故人関係者以外への故人のメモリアル情報の公開を行なう事を主眼としている。
その目的の為に故人のメモリアル情報を管理し公開する目的で登録管理機関を設置する。この登録管理機関の役割は故人、又は生前の人の著作物等を管理し世間に公開する役割を担う。つまりこの機関は現世における特許庁、文化庁のような業務を担う。この機関は制作依頼者Ａからの依頼を受けてメモリアルプレートＸとインターネットのホームページを制作すると共に同時に制作依頼者Ａから依頼のうけた原稿を預かり故人の属人情報と共に著作物を定形フォームに編集し台帳登録する。その後ここでの原稿の一部はインターネットのホームページで公開される。この事により故人の関係者以外でも広く故人の生き様を知り事ができる。
【実施例３】
【０００９】実施例３はこの出願に係わる発明（請求項３に係わる発明をいう）に関するものである。この発明はメモリアルプレートＸ自体に故人の遺骨を収納する空間を設けたり、またメモリアルプレートＸ自体を故人の粉砕した遺骨を混載して製造する。このように遺骨をメモリアルプレートＸの中に納める事はメモリアルプレートＸ自体に故人の生命が吹き込まれる事になる。その結果故人の遺骨がメモリアル情報と共に永久に保存される事になる。
【発明の効果】
【００１０】本発明では故人に係わる情報を二次元バーコードで変換して半永久的に保存出来るメモリアルプレートＸに保存しこれを故人が希望する場所に奉納する事に特徴がある。
メモリアルプレートＸは更に故人の生き様を表した証であり故人を偲ぶ事ができると共に後世の人への色々な行動指針にもなる。また登録管理機関を設置して故人に関わる情報を集中管理しその情報をインターネットで配信する事は広く現世の人々に故人の生前の人となりを知らしめる事ができる。
【図面の簡単な説明】
【００１１】
【図１】  本発明の第一、第二の実施の形態に関わる全体構成図である。
【図２】  本発明の第一、第二の実施の形態に関わる作業手順を示すフロー図である
【図３】  本発明の一部を構成する二次元バーコードの一例図である。
【図４】  寺院などの境内に設置される案内板の概要図である。
【符号の説明】
【００１２】      Ａ        制作依頼者
Ｂ        参拝者
Ｃ        閲覧者
Ｘ        メモリアルプレート
Ｙ        設置場所
Ｚ        管理運営組織
１        二次元バーコード
２        携帯端末
３        インターネット
４        案内板
５        物故者ぼ案内域
６        寺院の案内域
【図１】
2008243159.tif 000003
【図２】
2008243159.tif 000004
【図３】
2008243159.tif 000005
【図４】
2008243159.tif 000006